(57)【要約】  【課題】  親機と子機との間で行う登録作業を容易にするとともに、その子機が登録された複数の親機のうち、良好に無線接続できる親機にその子機をリンクさせることが容易に実現できるコードレス電話装置を提供する。  【解決手段】  親機１のコントローラ１９は、電話回線６を介して情報を伝送する回線制御部１０を制御して、ＲＯＭ１６に登録されている子機３の子機情報をＳＭＳセンタ装置５を通じてショートメッセージとして親機２へ伝送する。親機２は受信したショーメッセージに含まれる子機３の子機情報をＲＯＭ１６に登録し、自己の親機情報をＳＭＳセンタ装置５を通じてショートメッセージとして親機１へ伝送する。親機１は受信した親機２の親機情報をＲＦ回路１１を介して子機３へ無線送信し、子機３は受信した親機２の親機情報をＲＯＭ２６に登録する。【選択図】      図１
2006080824.tif 000002
【特許請求の範囲】
【請求項１】
電話回線に接続された複数の親機と、これらの親機と無線によって接続される子機とを備え、親機には子機を識別するための子機情報が登録され、子機には親機を識別するための親機情報が登録され、親機に登録されている子機情報から識別される子機に前記親機を識別する親機情報が登録されている場合に前記親機と前記子機との無線接続が可能となるコードレス電話装置であって、
前記複数の親機のそれぞれは、自己に登録されている子機情報及び自己の親機情報を他の親機へ前記電話回線を介して伝送するとともに、子機情報を伝送した他の親機から伝送されてくる該他の親機の親機情報を自己に登録されている子機情報から識別される子機へ無線によって送信し、
前記子機は、自己に登録されている親機情報から識別される親機から無線伝送されてきた前記他の親機の親機情報を登録するようにしたことを特徴とするコードレス電話装置。
【請求項２】
電話回線に接続された複数の親機と、これらの親機と無線によって接続される子機とを備え、親機には子機を識別するための子機情報が登録され、子機には親機を識別するための親機情報が登録され、親機に登録されている子機情報から識別される子機に前記親機を識別する親機情報が登録されている場合に前記親機と前記子機との無線接続が可能となるコードレス電話装置であって、
前記複数の親機のそれぞれは、
子機情報が登録される第１の記憶手段と、
前記電話回線に接続され該電話回線を介して情報を伝送する回線伝送手段と、
第１の記憶手段に登録されている子機情報を他の親機へ伝送するとともに、子機情報を伝送してきた伝送元の他の親機へ自己の親機情報を伝送するように前記回線伝送手段を制御する制御手段と、
第１の記憶手段に登録されている子機情報から識別される子機との間で無線による情報の伝送を行うとともに、前記電話回線を介して伝送されてきた他の親機の親機情報を無線によって前記子機へ送信する第１の無線伝送手段と、
を有し、
前記子機は、
親機情報が登録される第２の記憶手段と、
第２の記憶手段に登録されている親機情報から識別される親機との間で無線による情報の伝送を行う第２の無線伝送手段と、
を有し、第２の無線伝送手段により受信した前記他の親機からの親機情報を第２の記憶手段に登録することを特徴とするコードレス電話装置。
【請求項３】
前記電話回線上には該電話回線に接続されている通信端末機間で文字情報であるショートメッセージの伝送サービスを行うショートメッセージサービスシステムが構築されており、前記複数の親機のそれぞれは、前記ショートメッセージサービスシステムを用いて前記親機情報及び子機情報を文字情報として他の親機へ伝送することを特徴とする請求項２に記載のコードレス電話装置。
【請求項４】
前記親機情報及び子機情報は、前記親機及び子機のそれぞれを識別するために前記親機及び子機のそれぞれに割り当てられたＩＤコードを含むことを特徴とする請求項２または請求項３に記載のコードレス電話装置。
【請求項５】
前記複数の親機のうちの１つの親機と無線接続していた子機が、前記１つの親機の無線通信可能エリア外で前記１つの親機以外の他の親機の無線通信可能エリア内に移動した場合であって、前記他の親機の第１の記憶手段に前記子機の子機情報が登録されている場合には、前記子機は無線接続を前記他の親機に切り替えることを特徴とする請求項２〜請求項４のいずれかに記載のコードレス電話装置。
【請求項６】
前記子機の第２の無線伝送手段は、前記複数の親機のそれぞれの第１の無線伝送手段から送信される電波の電界強度を各親機ごとに検出する機能を有し、前記子機は、第２の無線伝送手段で検出した前記各親機ごとの電波の電界強度に基づいて、最も強い電界強度の電波を送信している親機に無線接続することを特徴とする請求項２〜請求項５のいずれかに記載のコードレス電話装置。
【請求項７】
前記子機の第２の無線伝送手段は、前記複数の親機のそれぞれの第１の無線伝送手段との間で行われるデジタル信号伝送のビットエラーレートを各親機ごとに検出する機能を有し、前記子機は、第２の無線伝送手段で検出した前記各親機ごとのビットエラーレートに基づいて、最も低いビットエラーレートの親機に無線接続することを特徴とする請求項２〜請求項５のいずれかに記載のコードレス電話装置。
【請求項８】
前記子機は、無線接続する親機を切り替えたことを通知する通知手段を有することを特徴とする請求項５〜請求項７のいずれかに記載のコードレス電話装置。
【請求項９】
前記子機の第２の無線伝送手段は、前記複数の親機のそれぞれの第１の無線伝送手段から送信される電波の電界強度を各親機ごとに検出する機能を有し、前記子機は、第２の無線伝送手段で検出した前記各親機ごとの電波の電界強度を表示する表示手段を有することを特徴とする請求項２〜請求項５のいずれかに記載のコードレス電話装置。
【請求項１０】
前記子機の第２の無線伝送手段は、前記複数の親機のそれぞれの第１の無線伝送手段との間で行われるデジタル信号伝送のビットエラーレートを各親機ごとに検出する機能を有し、前記子機は、第２の無線伝送手段で検出した前記各親機ごとのビットエラーレートを表示する表示手段を有することを特徴とする請求項２〜請求項５のいずれかに記載のコードレス電話装置。
【発明の詳細な説明】
【技術分野】
【０００１】
本発明は、電話回線に接続される複数の親機と、これらの親機と無線で接続される子機とから成るコードレス電話装置に関するものである。
【背景技術】
【０００２】
従来から、電話回線に接続された親機と、この親機と無線で接続される子機とから成るコードレス電話装置が知られている。このようなコードレス電話装置の子機を使って相手側と通話を行う場合、親機と子機とが無線で接続され、親機が電話回線を介して相手側電話装置と接続される。これにより、子機に入力された音声は、無線で親機へ伝送され、更に、親機から電話回線を介して相手側電話装置へ伝送される。一方、相手側電話装置からの音声は、電話回線を介して親機へ伝送され、更に、親機から無線で子機へ伝送されて子機から出力される。
【０００３】
即ち、このようなコードレス電話装置を使うと、子機と親機との間で無線通信を行える範囲内であれば、子機を持ったユーザは、その範囲内のどこにいてもその子機を使って相手側と通話を行うことができる。従って、このようなコードレス電話装置は、例えば、ユーザが部屋を移動しながら通話を行うような場合や、電話回線から遠い部屋にいて通話を行うような場合に非常に便利である。
【０００４】
このようなコードレス電話装置の子機は、親機にその子機を識別するための子機情報を登録することにより、その親機の子機として使用することができるように構成されている。このとき、その子機には親子関係となる親機を識別するための親機情報が登録される。また、１つの親機に複数の子機の子機情報を登録することにより、１台の親機と複数の子機とがリンクできるように構成されているものもある。このようなコードレス電話装置は、複数の部屋にこのコードレス電話装置の各子機を置いておくと、各部屋で子機通話を行えるので、１つの家庭で複数の人が電話を使うような場合に好適である。
【０００５】
また、複数の親機のそれぞれに同じ子機の子機情報を登録し、必要に応じてリンクする親機をその子機側にて変更することにより、広範囲のエリアで子機通話を可能にしたコードレス電話装置もある。このようなコードレス電話装置は、例えば、広い工場内や障害物の多い建物内であっても、良好な状態で子機通話を行うことを可能にする。即ち、コードレス電話装置で利用できる電波は、非常に微弱であり、広い工場内や鉄筋の壁に囲まれた部屋の中、また、親機と子機とが異なるフロアに存在する場合などでは、子機と特定の親機との無線による通信状態が不安定になる場合がある。そこで、複数の親機をそれぞれ異なる位置に配置しておき、その子機と最も良好に無線通信できる親機にリンクを切り替えるようにすることにより、良好な状態で子機通話できる範囲を拡大することができる。
【０００６】
このように、良好に無線通信できる親機にリンクを切り替えるようにするためには、子機の位置に応じて親機を切り替えていくような制御が必要であり、このような制御方式として、近年、ＤＥＣＴ（Digital Enhanced Cordless Telephone）方式等が認知されている。尚、ＤＥＣＴ方式が採用されていれば、リンクされる複数の親機はメーカーや機種が異なっていても構わない。
【０００７】
また、複数の親機を所定エリアの各ゾーン毎に設置し、更に、その各ゾーンに前記複数の親機以外に、子機の位置情報を知るために、子機位置情報検知用の専用親機を設置することにより、前記所定エリア内の子機位置情報を把握して、接続する親機を決定するコードレス電話システムも存在する（例えば、特許文献１参照）。
【特許文献１】特開平２―２４１１２６号公報
【発明の開示】
【発明が解決しようとする課題】
【０００８】
しかしながら、上述した従来のコードレス電話装置や特許文献１に記載のコードレス電話システムには、親機、子機間における登録のわずらわしさという問題があった。即ち、１台の子機を複数の親機のそれぞれにリンクできるようにするためには、それぞれの親機に対してその子機の子機情報を登録する登録処理を行う必要がある。そのためには、その子機をそれぞれの親機の無線通信可能エリアへ持っていき、それぞれの親機との間で登録のための無線通信を行って、互いの登録情報を登録する登録処理を行う必要があり、その登録作業に時間と手間がかかるという問題があった。
【０００９】
例えば、異なるフロア間での無線通信が不安定になるために、複数のフロアにそれぞれ親機が設置されている場合、ある特定のフロアの親機に登録された子機を他のフロアでも使用可能とするためには、その子機を前記他のフロアへ持っていき、そのフロアに設置された親機との間で登録処理を行うという登録作業が必要であり、その登録作業には時間と手間がかかっていた。
【００１０】
また、例えば、既に１つまたは複数の親機が所定エリア内に設置され、それらの親機に登録されている子機を用いてその所定エリア内で子機通話が可能となっている状況において、通話エリアの拡大を目的として新規に親機を増設した場合、その所定エリア内で使用される全ての子機をその増設した親機とリンク可能にするためには、一度、それらの全ての子機をその増設した親機の通信可能エリアへ持っていき、それらの子機とその増設した親機との間で登録処理を行う必要があり、その登録作業に時間と手間がかかるという問題があった。
【００１１】
また、複数の親機に同じ子機の子機情報を登録した場合、その子機を前記複数の親機のいずれとリンクさせるかの選択を行う必要があるが、特許文献１に記載の従来技術では、子機位置情報検知用の専用親機を設置する必要があり、コードレス電話装置またはコードレス電話システムが複雑になるという問題があった。
【００１２】
本発明は、上記の点に鑑み、親機と子機との間で行う登録作業を容易にするとともに、その子機が登録された複数の親機のうち、良好に無線接続できる親機にその子機をリンクさせることが容易に実現できるコードレス電話装置を提供することを目的とする。
【課題を解決するための手段】
【００１３】
上記目的を達成するために本発明は、電話回線に接続された複数の親機と、これらの親機と無線によって接続される子機とを備え、親機には子機を識別するための子機情報が登録され、子機には親機を識別するための親機情報が登録され、親機に登録されている子機情報から識別される子機に前記親機を識別する親機情報が登録されている場合に前記親機と前記子機との無線接続が可能となるコードレス電話装置であって、前記複数の親機のそれぞれは、自己に登録されている子機情報及び自己の親機情報を他の親機へ前記電話回線を介して伝送するとともに、子機情報を伝送した他の親機から伝送されてくる該他の親機の親機情報を自己に登録されている子機情報から識別される子機へ無線によって送信し、前記子機は、自己に登録されている親機情報から識別される親機から無線伝送されてきた前記他の親機の親機情報を登録するようにしたことを特徴とするコードレス電話装置を提供する。
【００１４】
この構成によれば、前記複数の親機のうちの１つの親機に登録されている子機情報を電話回線を介して他の親機へ伝送することができる。従って、前記他の親機に前記１つの親機に登録されていた子機情報を登録することができる。また、前記１つの親機は、子機情報を伝送した前記他の親機から伝送されてくる前記他の親機の親機情報を取得し、その取得した他の親機の親機情報を自己に登録されている子機情報から識別される子機へ無線によって送信する。そして、前記子機は、無線によって受信した前記他の親機の親機情報を登録する。これにより、前記子機に前記他の親機の親機情報が登録され、前記他の親機に前記子機の子機情報が登録されることになる。
【００１５】
また、本発明は、電話回線に接続された複数の親機と、これらの親機と無線によって接続される子機とを備え、親機には子機を識別するための子機情報が登録され、子機には親機を識別するための親機情報が登録され、親機に登録されている子機情報から識別される子機に前記親機を識別する親機情報が登録されている場合に前記親機と前記子機との無線接続が可能となるコードレス電話装置であって、前記複数の親機のそれぞれは、子機情報が登録される第１の記憶手段と、前記電話回線に接続され該電話回線を介して情報を伝送する回線伝送手段と、第１の記憶手段に登録されている子機情報を他の親機へ伝送するとともに、子機情報を伝送してきた伝送元の他の親機へ自己の親機情報を伝送するように前記回線伝送手段を制御する制御手段と、第１の記憶手段に登録されている子機情報から識別される子機との間で無線による情報の伝送を行うとともに、前記電話回線を介して伝送されてきた他の親機の親機情報を無線によって前記子機へ送信する第１の無線伝送手段とを有し、前記子機は、親機情報が登録される第２の記憶手段と、第２の記憶手段に登録されている親機情報から識別される親機との間で無線による情報の伝送を行う第２の無線伝送手段とを有し、第２の無線伝送手段により受信した前記他の親機からの親機情報を第２の記憶手段に登録することを特徴とするコードレス電話装置を提供する。
【００１６】
この構成によれば、前記複数の親機のうちの１つの親機の制御手段は、前記回線制御手段を制御して、前記１つの親機の第１の記憶手段に登録されている子機情報を電話回線を介して他の親機へ伝送することができる。従って、前記他の親機は、前記１つの親機の第１の記憶手段に登録されている子機情報を自己の第１の記憶手段に登録することができる。また、前記１つの親機は、子機情報を伝送した前記他の親機から伝送されてきた前記他の親機の親機情報を取得し、その取得した他の親機の親機情報を自己の第１の記憶手段に登録されている子機情報から識別される子機へ第１の無線伝送手段によって送信する。そして、前記子機は、第２の無線伝送手段によって受信した前記他の親機の親機情報を第２の記憶手段に登録する。これにより、前記子機の第２の記憶手段に前記他の親機の親機情報が登録され、前記他の親機の第１の記憶手段に前記子機の子機情報が登録されることになる。
【００１７】
また、例えば、前記電話回線上には該電話回線に接続されている通信端末機間で文字情報であるショートメッセージの伝送サービスを行うショートメッセージサービスシステムが構築されており、前記複数の親機のそれぞれは、前記ショートメッセージサービスシステムを用いて前記親機情報及び子機情報を文字情報として他の親機へ伝送すると、新たな通信手段を用いることなく、前記複数の親機間で前記親機情報及び子機情報を容易に伝送することができる。
【００１８】
また、例えば、前記親機情報及び子機情報は、前記親機及び子機のそれぞれを識別するために前記親機及び子機のそれぞれに割り当てられたＩＤコードを含むと、前記親機及び子機のそれぞれから無線送信される情報に含まれるＩＤコードから前記親機及び子機のそれぞれが互いを自己に登録された無線接続可能な子機または親機であるか否かを明確に識別することができる。
【００１９】
また、例えば、前記複数の親機のうちの１つの親機と無線接続していた子機が、前記１つの親機の無線通信可能エリア外で前記１つの親機以外の他の親機の無線通信可能エリア内に移動した場合であって、前記他の親機の第１の記憶手段に前記子機の子機情報が登録されている場合には、前記子機は無線接続を前記他の親機に切り替えるようにすると、前記子機が、該子機が登録された複数の親機のいずれかの無線通信可能エリア内に存在する場合には、ユーザが無線接続する親機を切り替える作業をすることなく、前記子機をその無線通信可能エリア内の親機と無線接続させることができる。
【００２０】
また、例えば、前記子機の第２の無線伝送手段は、前記複数の親機のそれぞれの第１の無線伝送手段から送信される電波の電界強度を各親機ごとに検出する機能を有し、前記子機は、第２の無線伝送手段で検出した前記各親機ごとの電波の電界強度に基づいて、最も強い電界強度の電波を送信している親機に無線接続すると、ユーザが無線接続する親機を切り替える作業をすることなく、前記子機を良好に無線接続できる親機とリンクさせることができる。
【００２１】
また、例えば、前記子機の第２の無線伝送手段は、前記複数の親機のそれぞれの第１の無線伝送手段との間で行われるデジタル信号伝送のビットエラーレートを各親機ごとに検出する機能を有し、前記子機は、第２の無線伝送手段で検出した前記各親機ごとのビットエラーレートに基づいて、最も低いビットエラーレートの親機に無線接続すると、前記親機と子機との無線通信がデジタル方式である場合に、ユーザが無線接続する親機を切り替える作業をすることなく、前記子機を良好に無線接続できる親機とリンクさせることができる。
【００２２】
また、例えば、前記子機は、無線接続する親機を切り替えたことを通知する通知手段を有すると、ユーザが、前記子機が無線接続されている親機が切り替わったことを認識することが容易となる。
【００２３】
また、例えば、前記子機の第２の無線伝送手段は、前記複数の親機のそれぞれの第１の無線伝送手段から送信される電波の電界強度を各親機ごとに検出する機能を有し、前記子機は、第２の無線伝送手段で検出した前記各親機ごとの電波の電界強度を表示する表示手段を有すると、ユーザが、その表示手段に表示された無線接続可能な各親機ごとの電波の電界強度を参考にして前記子機を良好に無線接続できる親機を選択することができる。
【００２４】
また、例えば、前記子機の第２の無線伝送手段は、前記複数の親機のそれぞれの第１の無線伝送手段との間で行われるデジタル信号伝送のビットエラーレートを各親機ごとに検出する機能を有し、前記子機は、第２の無線伝送手段で検出した前記各親機ごとのビットエラーレートを表示する表示手段を有すると、前記親機と子機との無線通信がデジタル方式である場合に、ユーザが、その表示手段に表示された無線接続可能な各親機ごとのビットエラーレートを参考にして前記子機を良好に無線接続できる親機を選択することができる。
【発明の効果】
【００２５】
本発明によれば、電話回線に接続された複数の親機のうちの１つの親機に登録されている子機情報を前記電話回線を介して他の親機へ伝送することができるので、前記他の親機に前記１つの親機に登録されていた子機情報を登録することができる。また、前記１つの親機は、子機情報を伝送した前記他の親機から伝送されてくる前記他の親機の親機情報を取得し、その取得した他の親機の親機情報を自己に登録されている子機情報から識別される子機へ無線によって送信し、前記子機は、無線によって受信した前記他の親機の親機情報を登録する。これにより、前記子機に前記他の親機の親機情報が登録され、前記他の親機に前記子機の子機情報が登録されることになるので、前記子機を前記他の親機の無線通信可能エリアへ持っていくことなく、前記子機を前記他の親機に登録することができる。即ち、登録作業が容易になる。
【００２６】
また、本発明によれば、電話回線に接続された複数の親機のうちの１つの親機の制御手段は、前記回線制御手段を制御して、前記１つの親機の第１の記憶手段に登録されている子機情報を電話回線を介して他の親機へ伝送することができるので、前記他の親機に前記１つの親機の第１の記憶手段に登録されている子機情報を自己の第１の記憶手段に登録することができる。また、前記１つの親機は、子機情報を伝送した前記他の親機から伝送されてきた前記他の親機の親機情報を取得し、その取得した他の親機の親機情報を自己の第１の記憶手段に登録されている子機情報から識別される子機へ第１の無線伝送手段によって送信し、前記子機は、第２の無線伝送手段によって受信した前記他の親機の親機情報を第２の記憶手段に登録する。これにより、前記子機の第２の記憶手段に前記他の親機の親機情報が登録され、前記他の親機の第１の記憶手段に前記子機の子機情報が登録されることになるので、前記子機を前記他の親機の無線通信可能エリアへ持っていくことなく、前記子機を前記他の親機に登録することができる。即ち、登録作業が容易になる。
【００２７】
また、本発明によれば、前記子機の第２の無線伝送手段は、前記複数の親機のそれぞれの第１の無線伝送手段から送信される電波の電界強度、または前記複数の親機のそれぞれの第１の無線伝送手段との間で行われるデジタル信号伝送のビットエラーレートを各親機ごとに検出する機能を有し、前記子機は、第２の無線伝送手段で検出した前記各親機ごとの電波の電界強度またはビットエラーレートに基づいて、最も強い電界強度の電波を送信している親機、または最も低いビットエラーレートの親機に無線接続するので、ユーザが無線接続する親機を切り替える作業をすることなく、前記子機を良好に無線接続できる親機とリンクさせることができる。
【発明を実施するための最良の形態】
【００２８】
以下に、本発明の実施形態を図面を参照して説明する。図１は本発明の一実施形態のコードレス電話装置の構成を概略的に示す概略図である。図１に示すコードレス電話装置は、公衆電話回線６に接続された親機１、２と、親機１と無線接続（リンク）可能な子機３とから構成されている。尚、子機３は複数であっても構わない。ここで、現時点では、親機１に対して子機３は既に登録済みなので、親機１と子機３とはリンク可能であるが、親機２に対して子機３は未登録なので、親機２と子機３とはリンク不可である。尚、後述する親機２への子機３の登録処理を行った後には、親機２と子機３とはリンク可能となる。
【００２９】
また、図１において、５は公衆電話回線６に接続され、ショートメッセージサービス（ＳＭＳ）を行うＳＭＳセンタ装置である。ＳＭＳセンタ装置５は、ストアアンドフォワード、即ち、メッセージの蓄積および転送の形態によって、公衆電話回線６に接続されている通信端末機間のショートメッセージの送受信を行うＳＭＳシステムを構築するものであり、近年、多くの通信端末機のユーザによってこのようなＳＭＳシステムが利用されている。尚、ショートメッセージとは、数十文字程度の予め定められた文字数以内の文字情報である。
【００３０】
図１に示すコードレス電話装置は、このＳＭＳセンタ装置５が構築するＳＭＳシステムに加入しており、このシステムを利用してショートメッセージを公衆電話回線６に接続されている他の通信端末機に送信することができる。また、親機１と親機２との間で公衆電話回線６及びＳＭＳＣ装置５を介してショートメッセージを送受信することも可能である。本発明の１つの特徴は、このＳＭＳ機能を利用して、複数の親機間で子機の登録情報をショートメッセージとして交換するという点にある。
【００３１】
尚、ＳＭＳセンタ装置５には、ＳＭＳを要求する通信端末機がシステムに加入しているか否かを識別するために、加入している通信端末機のコーラーＩＤ（Caller ID：電話番号）が登録されるようになっており、親機１、２の有するコーラーＩＤもＳＭＳセンタ装置５に登録されている。
【００３２】
図２は、図１に示す親機１の内部構成を示すブロック図である。尚、親機２の内部構成は親機１の内部構成と同一なので、その説明は省略する。図２に示す親機１は、親機１の全体の制御を行うコントローラ１９を備えており、コントローラ１９は、制御の中心となるＣＰＵ１８、受信データを一時的に確保したり送信データの生成後の一時確保に使用したりするワーキングメモリとしてのＲＡＭ１７、各種のプログラムなどが記憶されるＲＯＭ１６、及びインターフェース回路などの周辺回路部（不図示）を有している。このＲＯＭ１６には、親機１に割り当てられたコーラーＩＤ、各種データの送受信に関する制御プログラム、接続要求信号を作成する為のプログラム、一般呼出信号に対して応答する為のプログラム、各種制御用データ、及びリンク可能な子機を識別するための子機情報等が記憶されている。尚、前記子機情報等はＲＡＭ１７に記憶されるようにしても良い。その場合、ＲＡＭ１７は電源遮断時に保存データが消失しないように電池等でバックアップされる。
【００３３】
また、親機１は、コントローラ１９に接続され、公衆電話回線６を通じてのダイアル発呼／被呼の制御や、公衆電話回線６を通じて文字情報等の各種情報を送受信する通信手順の制御を行う回線制御部（モデム）１０と、子機３との間でアンテナ１５を介してデータを無線で送受信するＲＦ回路１１とを備えている。子機３からの受信データはアンテナ１５を通じてＲＦ回路１１に取り込まれ、コントローラ１９内で処理される。また、データ送信時は、ＲＦ回路１１がコントローラ１９にて処理された送信データをアンテナ１５を通じて無線送信する。
【００３４】
さらに、親機１は、コントローラ１９に接続されたキー入力部１２、ＬＣＤ表示部１３、スピーカ出力部１４を備えている。キー入力部１２は、ユーザが公衆電話回線６へのダイアル発呼、電話帳登録、各種登録情報の変更、ショートメッセージデータの生成などを行うために操作するテンキーなどの操作キーで構成されている。ＬＣＤ表示部１３には、回線制御部１０やＲＦ回路１１を通じて受信した各種データの内容などが表示される。また、親機１の現在の状態や現在時刻なども表示される。スピーカ出力部１４からは警告音などを出力することが可能である。
【００３５】
図３は、図１に示す子機３の内部構成を示すブロック図である。図３に示す子機３は、子機３の全体の制御を行うコントローラ２９を備えており、コントローラ２９は、制御の中心となるＣＰＵ２８、受信データを一時的に確保したり送信データの生成後の一時確保に使用したりするワーキングメモリとしてのＲＡＭ２７、各種のプログラムなどが記憶されるＲＯＭ２６、及びインターフェース回路などの周辺回路部（不図示）を有している。このＲＯＭ２６には、各種データの送受信に関する制御プログラム、接続要求信号を作成する為のプログラム、一般呼出信号に対して応答する為のプログラム、各種制御用データ、及びリンク可能な親機を識別するための親機情報等が記憶されている。尚、前記親機情報等はＲＡＭ２７に記憶されるようにしても良い。その場合、ＲＡＭ２７は電源遮断時に保存データが消失しないように電池等でバックアップされる。
【００３６】
また、子機３は、コントローラ２９に接続され、親機１との間でアンテナ２５を介してデータを無線で送受信するＲＦ回路２１を備えている。親機１からの受信データはアンテナ２５を通じてＲＦ回路２１に取り込まれ、コントローラ２９内で処理される。また、データ送信時は、ＲＦ回路２１がコントローラ２９にて処理された送信データをアンテナ２５を通じて無線送信する。また、このＲＦ回路２１は、アンテナ２５で受信した電波の電界強度（ＲＳＳＩ：Received Signal Strength Indicator）を検出してコントローラ２９に与える。
【００３７】
さらに、子機３は、コントローラ２９に接続されたキー入力部２２、ＬＣＤ表示部２３、スピーカ出力部２４を備えている。キー入力部２２は、ユーザが公衆電話回線６へのダイアル発呼、電話帳登録、各種登録情報の変更、ショートメッセージデータの生成などを行うために操作するテンキーなどの操作キーで構成されている。また、キー入力部２２のキー操作によって、子機３が登録された親機を検出した際に、任意の親機を指定してリンクを形成することが可能となる。ＬＣＤ表示部２３には、ＲＦ回路２１を通じて受信した各種データの内容などが表示される。また、子機３の現在の状態や現在時刻なども表示される。スピーカ出力部２４からは警告音などを出力することが可能である。
【００３８】
次に、このような構成のコードレス電話装置の登録動作を説明する。上述したように、現時点で子機３は、親機２に対しては未登録であるが、親機１に対しては既に登録済みであり、親機１のＲＯＭ１６には登録子機情報として子機３のＩＤコード、子機番号、子機名が記憶され、子機３のＲＯＭ２６には登録親機情報として親機１のＩＤコード、親機番号、親機名が記憶されている。
【００３９】
ＩＤコードとは、各親機及び子機のそれぞれに付けられている固有の番号であり、各親機及び子機のそれぞれを特定できる番号である。また、親機番号、子機番号、及び、親機名、子機名とは、親子関係を有する親機と子機を便宜的に識別するための番号及び名称である。ＩＤコードは、各親機、子機に固有の番号であり変更されることはないが、親機番号、子機番号、及び、親機名、子機名は親子関係の構成に合わせてユーザによって任意に設定されるものである。親機と子機との通信時には、通信先を特定するためにＩＤコードが用いられるが、ユーザがこのＩＤコードを意識することはなく、通常、ユーザは各親機、子機を親機番号、子機番号、または、親機名、子機名によって識別する。
【００４０】
図４は、親機２への子機３の登録処理の一例を示すフローチャートである。先ず、ユーザが子機３のキー入力部２２により新規の親機である親機２への登録を開始するキー操作を行うと、そのキー操作を認識したコントローラ２９は新規親機登録モードに入る（ステップＳ１）。このときのキー操作により、登録する対象である親機２の情報が入力される。親機２の情報とは、親機２のコーラーＩＤなどがそれにあたる。
【００４１】
そして、その入力された親機２の情報は子機３のＩＤコードとともにＲＦ回路２１、アンテナ２５を介して親機１へ無線送信され、アンテナ１５、ＲＦ回路１１を介してその情報を受信した親機１のコントローラ１９は新規親機登録モードに入る（ステップＳ２）。尚、親機１のキー入力部１２により新規の親機である親機２の登録を開始するキー操作を行うことにより、親機１を新規親機登録モードにすることも可能である。その場合は、登録したい子機情報がキー入力部１２により入力されるようにするのが望ましい。
【００４２】
次に、新規親機登録モードになった親機１のコントローラ１９は、図５（ａ）に示すような、受信した親機２のコーラーＩＤ、及び、子機の子機情報としてのＲＯＭ１６に記憶されている子機３のＩＤコード、子機番号、子機名などから成る送信データを生成し、この生成した送信データをＳＭＳを利用してショートメッセージ（文字情報）として親機２へ送信する（ステップＳ３）。
【００４３】
このときのＳＭＳを利用した送信動作を図６を参照して説明する。図６は、親機１から親機２へのショートメッセージの送信処理の一例を示すフローチャートである。
【００４４】
先ず、親機１のコントローラ１９は、生成した送信データをショートメッセージとして親機２へ送信すべくＳＭＳセンタ装置５のコーラーＩＤを公衆電話回線６にダイアル発呼する（ステップＳ１１）。すると、公衆電話回線６の図示しない交換機は、親機１のコーラーＩＤを着呼信号に併せてＳＭＳセンタ装置５に送信し、ＳＭＳセンタ装置５は、送信されてきたコーラーＩＤと自身に登録されているコーラーＩＤとを比較して親機１がＳＭＳシステムに加入している通信端末機であると判別した場合は、親機１との通信回線を確立する（ステップＳ１２）。
【００４５】
そして、親機１との間でショートメッセージ伝送モードに入り、親機１から図５（ａ）に示す送信データがショートメッセージとして伝送される（ステップＳ１３）。ショートメッセージの伝送が終了すると回線は解放され、ＳＭＳセンタ装置５は、親機１から受信したショートメッセージを所定の記憶手段に記憶する（ステップＳ１４）。
【００４６】
次に、ＳＭＳセンタ装置５は、記憶しているショートメッセージを親機２に送信すべく親機２との接続を行うために、親機２のコーラーＩＤを公衆電話回線６に対してダイアル発呼する（ステップＳ１５）。この親機２のコーラーＩＤは、記憶しているショートメッセージとしての送信データ（図５（ａ））に含まれている。
【００４７】
そして、公衆電話回線６の図示しない交換機は、ＳＭＳセンタ装置５の発信者ＩＤを着呼信号に併せて親機２に送信し、親機２は、このＳＭＳセンタ装置５の発信者ＩＤを用いて発信装置の判別を行い、判別結果がＳＭＳセンタ装置５からの着呼であった場合、親機２は、自動的にショートメッセージの受信モードに切り替わって、ＳＭＳセンタ装置５との通信回線を確立する（ステップＳ１６）。
【００４８】
そして、通信回線が確立されるとＳＭＳセンタ装置５から記憶されていたショートメッセージが発信元である親機１のコーラーＩＤを付けて伝送される（ステップＳ１７）。このときの親機２が受信したショートメッセージとしての受信データを図５（ｂ）に示す。そして、ショートメッセージの伝送が終了すると回線は解放され（ステップＳ１８）、以上で親機１から親機２へのショートメッセージの送信が終了する。
【００４９】
このようにして、親機１から親機２へショートメッセージが送信される（図４のステップＳ３）。そして、親機２のコントローラ１９は、この伝送されたショートメッセージとしての受信データ（図５（ｂ））を解析し、受信データに含まれる子機３の子機情報（ＩＤコード、子機番号、子機名）をコントローラ１９内のＲＯＭ１６に格納する（ステップＳ４）。
【００５０】
次に、子機３の子機情報を格納した親機２のコントローラ１９は、受信データ（図５（ｂ））に含まれる親機１のコーラーＩＤ、及び、子機３へ登録する親機情報としての親機２のＩＤコード、親機２にて子機３に割り当てられた子機番号などから成る図５（ｃ）に示す送信データを生成し、この生成した送信データをＳＭＳを利用してショートメッセージとして親機１へ送信する（ステップＳ５）。
【００５１】
このときのＳＭＳを利用した送信動作を図７を参照して説明する。図７は、親機２から親機１へのショートメッセージの送信処理の一例を示すフローチャートである。
【００５２】
先ず、親機２のコントローラ１９は、生成した送信データをショートメッセージとして親機１へ送信すべくＳＭＳセンタ装置５のコーラーＩＤを公衆電話回線６にダイアル発呼する（ステップＳ２１）。すると、公衆電話回線６の図示しない交換機は、親機２のコーラーＩＤを着呼信号に併せてＳＭＳセンタ装置５に送信し、ＳＭＳセンタ装置５は、送信されてきたコーラーＩＤと自身に登録されているコーラーＩＤとを比較して親機２がＳＭＳシステムに加入している通信端末機であると判別した場合は、親機２との通信回線を確立する（ステップＳ２２）。
【００５３】
そして、親機２との間でショートメッセージ伝送モードに入り、親機２から図５（ｃ）に示す送信データがショートメッセージとして伝送される（ステップＳ２３）。ショートメッセージの伝送が終了すると回線は解放され、ＳＭＳセンタ装置５は、親機１から受信したショートメッセージを所定の記憶手段に記憶する（ステップＳ２４）。
【００５４】
次に、ＳＭＳセンタ装置５は、記憶しているショートメッセージを親機１に送信すべく親機１との接続を行うために、親機１のコーラーＩＤを公衆電話回線６に対してダイアル発呼する（ステップＳ２５）。この親機１のコーラーＩＤは、記憶しているショートメッセージとしての送信データ（図５（ｃ））に含まれている。
【００５５】
そして、公衆電話回線６の図示しない交換機は、ＳＭＳセンタ装置５の発信者ＩＤを着呼信号に併せて親機１に送信し、親機１は、このＳＭＳセンタ装置５の発信者ＩＤを用いて発信装置の判別を行い、判別結果がＳＭＳセンタ装置５からの着呼であった場合、親機１は、自動的にショートメッセージの受信モードに切り替わって、ＳＭＳセンタ装置５との通信回線を確立する（ステップＳ２６）。
【００５６】
そして、通信回線が確立されるとＳＭＳセンタ装置５から記憶されていたショートメッセージが発信元である親機２のコーラーＩＤを付けて伝送される（ステップＳ２７）。このときの親機１に伝送されるショートメッセージとしての受信データを図５（ｄ）に示す。そして、ショートメッセージの伝送が終了すると回線は解放され（ステップＳ２８）、以上で親機２から親機１へのショートメッセージの送信が終了する。
【００５７】
このようにして、親機２から親機１へショートメッセージが送信される（図４のステップＳ５）。そして、親機１のコントローラ１９は、この伝送されたショートメッセージとしての受信データ（図５（ｄ））を解析し、上述した一連の登録処理に基づく子機３へ登録される親機情報が伝送されてきたことを判別すると、この受信データに含まれる親機２の親機情報（親機２のＩＤコード、親機２にて子機３に割り当てられた子機番号）を取り出して子機３へ無線伝送する（ステップＳ６）。
【００５８】
そして、子機３は、受信した親機２の親機情報を、子機３のコントローラ２９内のＲＯＭ２６に、リンク可能な親機の情報として格納する（ステップＳ７）。
【００５９】
以上のようにして親機２及び子機３への登録処理が終了し、以後、子機３は親機２の無線通信可能エリア内において親機２とリンク可能となる。このようにして、子機３と親機２との間で、直接、無線伝送による登録処理を行うことなく、親機２に対して子機３を登録することができる。即ち、上述のように、ＳＭＳを利用して親機１から親機２へ登録情報を転送するとともにＳＭＳを利用して親機２から親機１を介して子機３へ登録情報を転送することにより、子機３と親機２とが直接通信できない位置関係にある場合であっても、親機２への子機３の登録を行うことができる。
【００６０】
これにより、子機３を子機登録のために親機２の無線通信可能エリアに持っていく必要が無くなり、登録作業を容易にすることができる。特に、親機１に複数の子機３が登録されている場合であって、それら複数の子機３を全て新たな親機２とリンク可能にする場合には、複数の子機３を親機２の無線通信可能エリアに持っていく必要が無いので、子機登録作業がいっそう容易になることになる。
【００６１】
また、上述のようにして親機２への子機３の登録が終了した後には、子機３は親機１及び親機２のいずれともリンク可能となるので、子機３がリンクする親機を選択する必要が生じる。この選択は、ユーザが子機３のキー入力部２２を操作することによって行われるようにすることも勿論可能であるが、子機３はこの選択を各親機から無線送信されている無線データを利用して行うようにしている。
【００６２】
子機３は、受信した無線データがどの親機より送信されてきたのかを、無線データ内に存在する無線データ送信側情報により判別できる。これは、この無線データ送信側情報がその無線データを送信した親機のＩＤコードを含んでいるからである。上述の例では、親機１及び親機２への子機３の登録処理を行ったことにより、子機３のコントローラ２９内のＲＯＭ２６には親機１と親機２のＩＤコードが格納されている。従って、子機３は移動中に受信した無線データ内の無線データ送信側情報に含まれるＩＤコードをＲＯＭ２６内に記憶されているＩＤコードと比較することにより、リンク可能な親機を検知することができる。
【００６３】
そして、このようにして、例えば、親機１にリンクしていた子機３が、リンク可能な親機が親機２のみであると検知した場合、即ち、子機３が親機１の無線通信可能エリア外であって親機２の無線通信可能エリア内に存在している場合、子機３は自動的に親機２へリンクする。このようにすれば、ユーザが無線接続する親機を切り替える作業をすることなく、子機３をその無線通信可能エリア内の親機と無線接続させることができる。
【００６４】
また、このとき、子機３のＬＣＤ表示部２３に、リンクする親機が親機１から親機２に切り替わったことを通知するための表示をするようにしてもよい。さらに、このとき、スピーカ出力部２４より、リンクする親機が切り替わったことを警告するための警告音を出力するようにすることも可能である。このようにすると、ユーザが、子機３が無線接続されている親機が切り替わったことを容易に認識することができる。
【００６５】
また、子機３が複数のリンク可能な親機を検知した場合、予め、ユーザが子機３にリンクする親機の優先順位を設定しておき、子機３は検知した複数のリンク可能な親機のうち、優先順位の高い親機に自動的にリンクを切り替えるようにしても良い。
【００６６】
また、別の方法として、子機３は、子機３が検知した複数のリンク可能な親機のうち、受信したそれらの親機からの無線データのＲＳＳＩ（電界強度）が最も強い親機に自動的にリンクを切り替えるようにしても良い。このようにすれば、ユーザが無線接続する親機を切り替える作業をすることなく、子機３を良好に無線接続できる親機とリンクさせることができる。
【００６７】
また、子機３が検知したリンク可能な複数の親機を、受信したそれらの親機からの無線データのＲＳＳＩ（電界強度）が強い順に子機３のＬＣＤ表示部２３に表示させるようにしても良い。そのようにすると、ユーザはＬＣＤ表示部２３に表示された無線接続可能な各親機ごとの電波の電界強度を参考にして子機３が良好に無線接続できる親機を選択することができる。
【００６８】
また、親機、子機間の無線通信がデジタル方式で行われる場合には、前記ＲＳＳＩの代わりに、親機、子機間で行われるデジタル信号伝送のビットエラーレート（ＢＥＲ：Bit Error Rate）を用いるようにしても構わない。
【００６９】
以上のようにすることにより、子機３が登録された複数の親機のうち、良好に無線接続できる親機に子機３をリンクさせることが容易に実現できる。
【００７０】
尚、本発明は上述の実施形態に限定されるものではなく、本発明の趣旨を逸脱しない範囲において各部の構成等を適宜に変更して実施することも可能である。
【図面の簡単な説明】
【００７１】
【図１】本発明の一実施形態のコードレス電話装置の構成を概略的に示す概略図である。
【図２】図１に示す親機の内部構成を示すブロック図である。
【図３】図１に示す子機の内部構成を示すブロック図である。
【図４】図１に示す親機への子機の登録処理の一例を示すフローチャートである。
【図５】図４に示す登録処理中に伝送される送信データ、受信データのデータ構成を示す図である。
【図６】図１に示す親機１から親機２へのショートメッセージの送信処理の一例を示すフローチャートである。
【図７】図１に示す親機２から親機１へのショートメッセージの送信処理の一例を示すフローチャートである。
【符号の説明】
【００７２】
１、２    親機
３    子機
５    ＳＭＳセンタ装置（ショートメッセージサービスシステム）
６    公衆電話回線
１０    回線制御部（回線伝送手段）
１１    ＲＦ回路（第１の無線伝送手段）
１２    キー入力部
１３    ＬＣＤ表示部
１４    スピーカ出力部
１５    アンテナ
１６    ＲＯＭ（第１の記憶手段）
１７    ＲＡＭ
１８    ＣＰＵ
１９    コントローラ（制御手段）
２１    ＲＦ回路（第２の無線伝送手段）
２２    キー入力部
２３    ＬＣＤ表示部（表示手段、通知手段）
２４    スピーカ出力部（通知手段）
２５    アンテナ
２６    ＲＯＭ（第２の記憶手段）
２７    ＲＡＭ
２８    ＣＰＵ
２９    コントローラ
【図１】
2006080824.tif 000003
【図２】
2006080824.tif 000004
【図３】
2006080824.tif 000005
【図４】
2006080824.tif 000006
【図５】
2006080824.tif 000007
【図６】
2006080824.tif 000008
【図７】
2006080824.tif 000009